(57)【特許請求の範囲】
【請求項１】
無線通信デバイスの無線収束プラットフォーム及びインターネットゲートウェイの間の第１の接続性を可能にすることと、
前記無線収束プラットフォーム及び少なくとも１つのデバイスの間の第２の接続性を可能にすることと、
前記第１の接続性を使用する前記インターネットゲートウェイを介してアプリケーションサービスを得るために前記無線収束プラットフォームを使用することと、
前記第２の接続性を介して前記アプリケーションサービスを前記少なくとも１つのデバイスへ中継することと
を備え、
前記少なくとも１つのデバイスは、最小限のあるいは全くないハードウェア重複またはサービス加入を伴う前記無線収束プラットフォームとの前記第２の接続性を管理するためのソフトウェア層を含む
ポータブルブロードバンドサービスを提供する方法。
【請求項２】
異なるアプリケーションサービスを得ることと、前記異なるアプリケーションサービスを異なるデバイスへ中継することとを更に備え、前記少なくとも１つのデバイス及び前記異なるデバイスは、両方ともユーザプラットフォームと関連づけられている、請求項１に記載の方法。
【請求項３】
前記アプリケーションサービスのために前記少なくとも１つのデバイスから要求を受信することを更に備える、請求項１に記載の方法。
【請求項４】
前記第１の接続性は、第３世代（３Ｇ）の無線標準かまたは第４世代（４Ｇ）の無線標準を使用する、請求項１に記載の方法。
【請求項５】
前記ソフトウェア層は、前記無線収束プラットフォームとともに前記第２の接続性を管理するためのプロトコル及びマークアップ言語（ＰＭＬ）構成要素を備える、請求項１に記載の方法。
【請求項６】
前記ソフトウェア層は、相互接続プロトコルスタック中のユニバーサルプレイアンドプレイ（ｕＰｎＰ）層より上位である、請求項５に記載の方法。
【請求項７】
前記ソフトウェア層は、相互接続プロトコルスタック中のＰＭＬ層に存する、請求項５に記載の方法。
【請求項８】
前記少なくとも１つのデバイスのために認証及び安全なチャネルを中継することを更に備える、請求項１に記載の方法。
【請求項９】
前記認証は、次に述べるもの：電子シリアル番号（ＥＳＮ）または媒体アクセス制御（ＭＡＣ）識別子のうちの１つに基づいている、請求項８に記載の方法。
【請求項１０】
前記安全なチャネルは、ＲＳＡ（Rivest Shamir Adleman）の安全なキーに基づいている、請求項８に記載の方法。
【請求項１１】
前記認証は、少なくとも１つのスレーブデバイスとペアのマスタデバイスの認証情報管理を含む、請求項８に記載の方法。
【請求項１２】
ポータブルブロードバンドサービスを提供する無線収束プラットフォームであって、
前記無線収束プラットフォーム及びインターネットゲートウェイの間の第１の接続性を可能にする第１のインタフェース回路と、
前記無線収束プラットフォーム及び少なくとも１つのデバイスの間の第２の接続性を可能にする第２のインタフェース回路と、
前記第１の接続性を使用する前記インターネットゲートウェイを介してアプリケーションサービスを得て、前記第２の接続性を介して前記アプリケーションサービスを前記少なくとも１つのデバイスへ中継する処理ユニットと
を備え、
前記少なくとも１つのデバイスは、最小限のあるいは全くないハードウェア重複またはサービス加入を伴う前記無線収束プラットフォームとの前記第２の接続性を管理するためのソフトウェア層を含む
無線収束プラットフォーム。
【請求項１３】
前記処理ユニットは、異なるアプリケーションサービスを得て、前記異なるアプリケーションサービスを異なるデバイスへ中継し、前記少なくとも１つのデバイス及び前記異なるデバイスは、両方ともユーザプラットフォームと関連づけられている、請求項１２に記載の無線収束プラットフォーム。
【請求項１４】
前記ソフトウェア層は、前記無線収束プラットフォームとともに前記第２の接続性を管理するためのプロトコル及びマークアップ言語（ＰＭＬ）構成要素を備える、請求項１２に記載の無線収束プラットフォーム。
【請求項１５】
前記ソフトウェア層は、相互接続プロトコルスタック中のユニバーサルプレイアンドプレイ（ｕＰｎＰ）層より上位である、請求項１４に記載の無線収束プラットフォーム。
【請求項１６】
前記第２のインタフェース回路は、認証を中継し、安全なチャネルを前記少なくとも１つのデバイスに提供する、請求項１２に記載の無線収束プラットフォーム。
【請求項１７】
前記認証は、少なくとも１つのスレーブデバイスとペアのマスタデバイスの認証情報管理を含む、請求項１６に記載の無線収束プラットフォーム。
【請求項１８】
ポータブルブロードバンドサービスを提供する装置であって、
前記装置及びインターネットゲートウェイの間の第１の接続性を可能にする手段と、
前記装置及び少なくとも１つのデバイスの間の第２の接続性を可能にする手段と、
前記第１の接続性を使用する前記インターネットゲートウェイを介してアプリケーションサービスを得る手段と、
前記第２の接続性を介して前記アプリケーションサービスを前記少なくとも１つのデバイスへ中継する手段と
を備え、
前記少なくとも１つのデバイスは、最小限のあるいは全くないハードウェア重複またはサービス加入を伴う前記装置との前記第２の接続を管理するためのソフトウェア層を含む
装置。
【請求項１９】
異なるアプリケーションサービスを得て、前記異なるアプリケーションサービスを異なるデバイスへ中継する手段を更に備え、前記少なくとも１つのデバイス及び前記異なるデバイスは、両方ともユーザプラットフォームと関連づけられている、請求項１８に記載の装置。
【請求項２０】
前記ソフトウェア層は、前記第２の接続性を管理するためのプロトコル及びマークアップ言語（ＰＭＬ）構成要素を備える、請求項１８に記載の装置。
【請求項２１】
前記ソフトウェア層は、相互接続プロトコルスタック中のユニバーサルプレイアンドプレイ（ｕＰｎＰ）層より上位である、請求項２０に記載の装置。
【請求項２２】
前記ソフトウェア層は、相互接続プロトコルスタック中のＰＭＬ層に存する、請求項２０に記載の装置。
【請求項２３】
前記少なくとも１つのデバイスのために認証及び安全なチャネルを中継する手段を更に備える、請求項１８に記載の装置。
【請求項２４】
前記認証は、次に述べるもの：電子シリアル番号（ＥＳＮ）または媒体アクセス制御（ＭＡＣ）識別子のうちの１つに基づいている、請求項２３に記載の装置。
【請求項２５】
前記安全なチャネルは、ＲＳＡ（Rivest Shamir Adleman）の安全なキーに基づいている、請求項２３に記載の装置。
【請求項２６】
前記認証は、少なくとも１つのスレーブデバイスとペアの処理ユニットマスタデバイスの認証情報管理を含む、請求項２３に記載の装置。
【請求項２７】
前記処理ユニットマスタデバイスは、異なるアプリケーションサービスを得て、前記異なるアプリケーションサービスを異なるスレーブデバイスへ中継し、前記少なくとも１つのスレーブデバイス及び前記異なるスレーブデバイスは、両方ともユーザプラットフォームと関連づけられている、請求項２６に記載の装置。
【請求項２８】
前記少なくとも１つのスレーブデバイスは、最小限のあるいは全くないハードウェア重複またはサービス加入を伴う前記装置との前記第２の接続性を管理するためのプロトコル及びマークアップ言語（ＰＭＬ）構成要素を備えるソフトウェア層を含む、請求項２６に記載の装置。
【請求項２９】
前記ソフトウェア層は、相互接続プロトコルスタック中のユニバーサルプレイアンドプレイ（ｕＰｎＰ）層より上位である、請求項２８に記載の装置。
【請求項３０】
ポータブルブロードバンドサービスを提供する装置であって、
前記装置及びインターネットゲートウェイの間の第１の接続性を可能にし、
前記装置及び少なくとも１つのデバイスの間の第２の接続性を可能にし、
前記第１の接続性を使用する前記インターネットゲートウェイを介してアプリケーションサービスを得、
前記第２の接続性を介して前記アプリケーションサービスを前記少なくとも１つのデバイスへ中継する
ために構成された少なくとも１つのプロセッサを備え、
前記少なくとも１つのデバイスは、最小限のあるいは全くないハードウェア重複またはサービス加入を伴う前記装置との前記第２の接続性を管理するためのソフトウェア層を含む
装置。
【請求項３１】
前記少なくとも１つのプロセッサは、異なるアプリケーションサービスを得て、前記異なるアプリケーションサービスを異なるデバイスへ中継するために更に構成され、前記少なくとも１つのデバイス及び前記異なるデバイスは、両方ともユーザプラットフォームと関連づけられている、請求項３０に記載の装置。
【請求項３２】
前記少なくとも１つのデバイスは、前記第２の接続性を管理するためのプロトコル及びマークアップ言語（ＰＭＬ）構成要素であるソフトウェア層を含む、請求項３０に記載の装置。
【請求項３３】
前記ソフトウェア層は、相互接続プロトコルスタック中のユニバーサルプレイアンドプレイ（ｕＰｎＰ）層より上位レベルプロトコルである、請求項３２に記載の装置。
【請求項３４】
前記ソフトウェア層は、相互接続プロトコルスタック中のＰＭＬ層に存する、請求項３２に記載の装置。
【請求項３５】
前記少なくとも１つのプロセッサは、前記少なくとも１つのデバイスのために認証及び安全なチャネル中継するために更に構成される、請求項３０に記載の装置。
【請求項３６】
前記認証は、次に述べるもの：電子シリアル番号（ＥＳＮ）または媒体アクセス制御（ＭＡＣ）識別子のうちの１つに基づいている、請求項３５に記載の装置。
【請求項３７】
前記安全なチャネルは、ＲＳＡ（Rivest Shamir Adleman）の安全なキーに基づいている、請求項３５に記載の装置。
【請求項３８】
前記認証は、少なくとも１つのスレーブデバイスとペアのマスタデバイスの認証情報管理を含む、請求項３５に記載の装置。
【請求項３９】
コンピュータプログラムを記憶するコンピュータ読み取り可能媒体であって、前記コンピュータプログラムの実行は、
無線収束プラットフォーム及びインターネットゲートウェイの間の第１の接続性を可能にすることと、
前記無線収束プラットフォーム及び少なくとも１つのデバイスの間の第２の接続性を可能にすることと、
前記第１の接続性を使用する前記インターネットゲートウェイを介してアプリケーションサービスを得ることと、
前記第２の接続性を介して前記アプリケーションサービスを前記少なくとも１つのデバイスへ中継することと
のためであり、
前記少なくとも１つのデバイスは、最小限のあるいは全くないハードウェア重複またはサービス加入を伴う前記無線収束プラットフォームとの前記第２の接続性を管理するためのソフトウェア層を含む
コンピュータ読み取り可能媒体。
【請求項４０】
前記コンピュータプログラムの実行は更に、異なるアプリケーションサービスを得ること及び前記異なるアプリケーションサービスを異なるデバイスへ中継することのためであり、前記少なくとも１つのデバイス及び前記異なるデバイスは、両方ともユーザプラットフォームと関連づけられている、請求項３９に記載のコンピュータ読み取り可能媒体。
【請求項４１】
前記コンピュータプログラムの実行はまた更に、前記少なくとも１つのデバイスのために認証及び安全なチャネルを中継することのためである、請求項３９に記載のコンピュータ読み取り可能媒体。
【請求項４２】
前記第１の接続性は、前記第２の接続性のものとは異なる無線通信技術を用いる、請求項１記載の方法。
【請求項４３】
各々の関連づけられたデバイスに対するＰＭＬサービス使用の統計に少なくとも基づいて各々の関連づけられたデバイスのために前記無線収束プラットフォームを介して得られた１つ以上のアプリケーションサービスのための段になった価格構成を提供することを更に備える、請求項５に記載の方法。
【請求項４４】
前記無線通信デバイスの前記無線収束プラットフォームは、ユニバーサルプレイアンドプレイ（ｕＰｎＰ）技術を用いる、請求項１に記載の方法。
【発明の詳細な説明】
【米国特許法第１１９条の下での優先権主張】
【０００１】
本願は、本願の譲受人に譲渡され、参照によって本願に明確に組み込まれた２００８年１０月１７日出願の“無線収束プラットフォームを提供する方法及び装置”と題された、米国特許仮出願第６１／１０６，５００号に対する優先権を主張する。また、本願は、本願の譲受人に譲渡され、参照によって本願に明確に組み込まれた２００９年２月２日出願の無線デバイスによって提供される情報を遠隔で管理する方法及び装置と題された、米国特許仮出願第６１／１４９，２９３号に対する優先権を主張する。
【技術分野】
【０００２】
この開示は、一般に無線接続性を提供する装置及び方法に関する。特に、開示は、無線収束プラットフォームを使用するポータブルブロードバンドサービスを提供することに関する。
【背景技術】
【０００３】
今日の社会における通信インフラストラクチャは、様々なサービスを供給するために多くの空間的に分配されたユーザの間で情報を輸送するために、幅広い様々な媒体、有線及び無線の両方からなる。通信サービスの各々の形式は、安定供給、スループット、エラー品質、適時性等の点から異なるサービス要求を持っているかもしれない。いくつかの状況において、有線媒体は、輸送のため、特に固定点間の大量データの転送のために好まれる。他のシナリオにおいて、移動性及び迅速な対応に対する欲求は、無線媒体によってデータ輸送に導く。一般に、音声、ビデオ、メッセージング等のためのユーザ間の通信は、データ輸送のために有線及び無線媒体の両方を用いることができる。
【０００４】
同時に、パケット交換方式のインターネット技術によって共有する情報は、過去２０年間を通して前例のない成長があった。ウェブ閲覧、電子メール、インスタントメッセージ、ファイル転送等のようなインターネットアプリケーションは、ビジネス、政治、及び個人取引のためのライフラインになっている。インターネットへのユーザアクセスは、例えば、イーサネット（登録商標）に基づく有線のネットワークを使用するローカルエリアネットワーク（ＬＡＮ）または有線のモデムへの局所的な接続を主に使用し始めた。しかし、現在の使用は、様々な８０２．１１標準（ＷｉＦｉ）のようなこのような無線標準を使用する無線ユーザアクセスの方へますます多く移動している。
【０００５】
最近、インターネット及び従来の無線及び有線通信技術の収束は、相当に増加している。この収束は、いくつかの方法においてユーザのコミュニティに役立っている。例えば、インターネットウェブブラウザはモバイルデバイス上で今実現される、情報探索は無線アクセスを使用してどこでも実行されることができかもしれない、娯楽コンテンツはポータブルデバイス上で容易にダウンロード可能であるかもしれない、デジタルボイスオーバインターネットプロトコル（ＶｏＩＰ）電話法はパーソナルデバイス上で実現されるかもしれない、パーソナルナビゲーションデバイス（ＰＤＮ）は動いている間に使用されるかもしれない、等。
【０００６】
しかしながら、モバイルアプリケーションのこの増加した多様性の下降は、コスト、デバイスタイプ、及びコンテンツ管理の増加した負担とともに多様な専用のユーザデバイスに帰着する。今日のビジネスの挑戦は、これらのアプリケーション及びサービスの全ての集中した収束を、アクセスポイントを世界的なインターネットに供給する単一のプラットフォームに提供することである。
【概要】
【０００７】
無線収束プラットフォームと関連づけられた情報を遠隔で管理する装置及び方法が開示される。１つの態様に従うと、無線収束プラットフォーム及びインターネットゲートウェイの間の第１の接続性を可能にすることと、前記無線収束プラットフォーム及び少なくとも１つのデバイスの間の第２の接続性を可能にすることと、前記第１の接続性を使用する前記インターネットゲートウェイを介してアプリケーションサービスを得るために前記無線収束プラットフォームを使用することと、前記第２の接続性を介して前記アプリケーションサービスを前記少なくとも１つのデバイスに中継することとを備える、ポータブルブロードバンドサービスを提供する方法。
【０００８】
別の態様に従うと、無線収束プラットフォーム及びインターネットゲートウェイの間の第１の接続性を可能にする第１のインタフェース回路と、前記無線収束プラットフォーム及び少なくとも１つのデバイスの間の第２の接続性を可能にする第２のインタフェース回路と、前記第１の接続性を使用する前記インターネットゲートウェイを介してアプリケーションサービスを得て、前記第２の接続性を介して前記アプリケーションサービスを前記少なくとも１つのデバイスに中継する処理ユニットとを備えるポータブルブロードバンドサービスを提供する無線収束プラットフォーム。
【０００９】
別の態様に従うと、装置及びインターネットゲートウェイの間の第１の接続性を可能にする手段と、前記装置及び少なくとも１つのデバイスの間の第２の接続性を可能にする手段と、前記第１の接続性を使用する前記インターネットゲートウェイを介してアプリケーションサービスを得る手段と、前記第２の接続性を介して前記アプリケーションサービスを前記少なくとも１つのデバイスに中継する手段とを備えるポータブルブロードバンドサービスを提供する装置。
【００１０】
別の態様に従うと、コンピュータプログラムを記憶するコンピュータ読み取り可能媒体、ここで前記コンピュータプログラムの実行は、無線収束プラットフォーム及びインターネットゲートウェイの間の第１の接続性を可能にすることと、前記無線収束プラットフォーム及び少なくとも１つのデバイスの間の第２の接続性を可能にすることと、前記第１の接続性を使用する前記インターネットゲートウェイを介してアプリケーションサービスを得ることと、前記第２の接続性を介して前記アプリケーションサービスを前記少なくとも１つのデバイスに中継することとのためである。
【００１１】
本開示の利点は、様々な及び種々のモバイルアプリケーションに必要なデバイスの量を最小化することを含む。したがって、より低いコスト及びユーザに対する増加した利便性に帰着する。付加的な利点は、ほとんどあるいは全くないハードウェア重複またはサービス加入を伴うインターネット接続性を備えたデバイスにユーザデバイスを変換することを含む。別の利点は、多数のデバイスをカバーするために単一のサービスプランを変換するための能力である。したがって、サービスプランの重複を除去し、コストを減少させ、ユーザに対する利便性を増加させる。
【００１２】
他の態様が次に続く詳細な記述から当業者に容易に明白になるであろうということが理解される。ここで、それは、例証の方法によって示される及び記述される様々な態様である。図及び詳細な説明は、制限するとしてではなく、本質的に実例となるとみなされるべきである。
【図面の簡単な説明】
【００１３】
【図１】図１は、自動車のような、ユーザプラットフォームと関連づけられた無線収束プラットフォームの一例の使用事例を例証する。
【図２】図２は、一例の無線ネットワーク環境を例証するブロック図である。
【図３】図３は、無線収束プラットフォームの一例の配置を例証する。
【図４】図４は、無線収束プラットフォーム中のネットワーク接続性の一例を例証する。
【図５】図５は、一例のプロトコル及びマークアップ言語（ＰＭＬ）プロトコルスタックを例証する。
【図６】図６は、プロトコル及びマークアップ言語（ＰＭＬ）セキュリティシグナル伝達の一例を例証する。
【図７】図７は、一例の無線収束プラットフォームを例証するブロック図である。
【図８】図８は、無線収束プラットフォームを使用するポータブルブロードバンドサービスを提供する一例のフロー図である。
【図９】図９は、メモリと通信して無線収束プラットフォームを使用するポータブルブロードバンドサービスを提供する処理を実行するためのプロセッサを備えるデバイスの一例を例証する。
【図１０】図１０は、無線収束プラットフォームを使用するポータブルブロードバンドサービスを提供するのに適したデバイス１０００の一例を例証する。
【詳細な説明】
【００１４】
添えられた図に関連して下に明らかにされている詳細な記述は、本開示の様々な態様の記述として意図されており、本開示が実行されることができる態様のみを表すことは意図されていない。本開示中に記述されている各々の態様は、本開示の実例の一例として単に提供されているにすぎず、他の態様を超えて好まれるまたは有利であるとして必然的に解釈されるべきではない。詳細な記述は、本開示の完全な理解を提供する目的のための具体的詳細を含む。しかしながら、本開示がこれらの具体的詳細なく実行されることができるということは、当業者に明白であろう。いくつかの例において、よく知られている構造及びデバイスは、本開示のコンセプトを不明瞭にすることを避けるためにブロック図形式において示されている。頭字語及び他の記述的な用語は、利便性及び明瞭さのために単に使用されることができるにすぎず、本開示の範囲を制限することは意図されていない。
【００１５】
説明の単純の目的のためであるとしても、方法論は、一連の行為として示され、記述される。１つ以上の態様に従うと、ここで示され、記述されるものから他の行為と同時に及び／または異なる順序においていくつかの行為が生じるので、方法論が行為の順序によって制限されないということは理解され、認識されるべきである。例えば、当業者は、状態図中のような、一連の相互に関連づけられた状態またはイベントとして代替的に表されることができるということを理解し、認識するであろう。そのうえ、全ての例証された行為は、１つ以上の態様に従って方法論を実現するために必要とされるとは限らないかもしれない。
【００１６】
ポータブルブロードバンドゲートウェイに無線収束プラットフォームを提供する装置及び方法がここで開示される。また、情報ネットワークの能力と例えば、携帯電話の多用途性とを組み合わせる無線収束プラットフォームがここで開示される。この無線収束プラットフォームは、強力なコンピュータ（すなわち、高いＣＰＵサイクル速度）によってのみ歴史的に提供されている能力を提供するために高く有能な電子チップを活用することができる。無線収束プラットフォームは、ポータブルブロードバンド情報ゲートウェイとして実行する。その解決は、安全なインターネットに基づくアプリケーション接続性を様々なデジタルデバイスの間で可能にする。１つの態様において、無線収束プラットフォームは、遠隔のディスプレイのような空間的に分離した端末と組み合わせたソフトウェアアプリケーション及びサービスのための強力な、インターネット対応のモバイルプラットフォームを含む。
【００１７】
１つの例において、無線収束プラットフォームは、自動車のような、ユーザプラットフォームに取り付けられた（ディスプレイとして）薄い液晶ディスプレイ（ＬＣＤ）スクリーンを用いる。それは、無線収束プラットフォームのウェブブラウザまたはナビゲーションアプリケーションへの無線接続を視覚的に使用する。加えて、無線収束プラットフォームは、ユーザがＬＣＤタッチスクリーンによって指令を入力するのを可能にする。１つのアプリケーションにおいて、ユーザプラットフォームは、ほとんどあるいは全くないハードウェア重複またはサービス加入を伴うインターネット接続性の利点を備えたパーソナルナビゲーションデバイス（ＰＮＤ）に変換される。別の例において、現存するナビゲーションシステムを備えた自動車のようなユーザプラットフォームに対して、そのユーザは、内臓ナビゲーションシステムによってデバイスの遠隔のディスプレイ及び制御を可能にさせるシンクライアントアプリケーションを導くことができる。
【００１８】
図１は、自動車のような、ユーザプラットフォームと関連づけられた無線収束プラットフォームの一例の使用事例を例証する。１つの例において、ディスプレイ及び無線収束プラットフォーム間の相互接続は、ブルートゥース（登録商標）、ＷｉＦｉ、または無線ＬＡＮ等に基づくことができる。それは、例えば携帯電話機能を含むことができる。別の例において、インターネット上に存在する様々なユーザアプリケーション及び無線収束プラットフォーム間の無線アクセスは、ユニバーサルモバイルテレコミュニケーションシステム（ＵＭＴＳ）、広帯域符号分割多元接続（ＷＣＤＭＡ）、ｃｄｍａ２０００、データ向けに最適化されたエボリューション（ＥＶ−ＤＯ）、高速ダウンリンクパケット接続（ＨＳＤＰＡ）、ロングタームエボリューション（ＬＥＴ）等のような、第３世代（３Ｇ）または第４世代（Ｇ４）の無線標準に基づくことができる。当業者は、ここで述べられる無線標準が例であるということ及び３Ｇまたは４Ｇを越えた将来の世代の無線標準を含む、他の無線標準が本開示の範囲または精神に影響を及ぼすことなく使用されるかもしれないということを理解するであろう。
【００１９】
他のアプリケーションにおいて、ユーザプラットフォームは、自動車でないかもしれないが、これらに制限されないが、他のプラットフォーム、航空機、オーシャンクラフト、バス、列車等であることができる。無線収束プラットフォームは、例えば次に述べるもの：パーソナルデジタルアシスタント（ＰＤＡ）、パーソナルナビゲーションデバイス（ＰＮＤ）、デジタル音楽プレーヤー、デジタルビデオプレーヤー、ポッドキャスト、デジタルカメラ、デジタルＶｏＩＰ電話、スマートフォン、ケーブルセットトップボックス等の１つ以上としてユーザのニーズの役に立つために処理能力、ソフトウェアアプリケーション、及び拡張可能なユーザインタフェースを備えた一体化されたセントラルデバイスとして機能を果たす。無線収束プラットフォームを通して、ユーザプラットフォームは、これらの機能性の１つ以上を提供することができる。無線収束プラットフォームは、車両上、ビルディングまたは家の中等のような様々なユーザプラットフォーム上で様々なユーザサービスを提供するために、無線技術、ソフトウェアアプリケーション、無線ローカルエリアネットワーク（ＷＬＡＮ）等を活用する。
【００２０】
図２は、一例の無線ネットワーク環境１００を例証するブロック図である。当業者は、図２中に例証されている例の無線ネットワーク環境１００が周波数分割多元接続（ＦＤＭＡ）環境、直交周波数分割多元接続（ＯＦＤＭＡ）環境、符号分割多元接続（ＣＤＭＡ）環境、広帯域符号分割多元接続（ＷＣＤＭＡ）環境、時分割多元接続（ＴＤＭＡ）環境、空間分割多元接続（ＳＤＭＡ）環境、または任意の他の適切な無線環境において実現されることができる。
【００２１】
説明の単純の目的のためであるとしても、方法論は、一連の行為として示され、記述される。１つ以上の態様に従うと、いくつかの行為がここで示され、記述されるものから他の行為と同時に及び／または異なる順序において生じるように、方法論が行為の順序によって制限されないということは理解され、認識されるべきである。例えば、当業者は、状態図中のような、一連の相互に関連づけられた状態またはイベントとして代替的に表されることができるということを理解し、認識するであろう。そのうえ、全ての例証された行為は、１つ以上の観点に従って方法論を実現するために必要とされるとは限らないかもしれない。
【００２２】
無線ネットワーク環境１００は、アクセスノード１０１（例えば、アクセスポイント、基地局等）及びユーザ装置またはＵＥ２０１（例えば、無線通信デバイス、モバイル局、無線収束プラットフォーム）を含む。ダウンリンクレグにおいて、アクセスノード１０１は、トラフィックデータを受け入れ、フォーマットし、符号化し、インタリーブし、変調する（またはシンボルマップする）送信（ＴＸ）データプロセッサを含み、変調シンボル（例えば、データシンボル）を提供する。ＴＸデータプロセッサＡ１１０は、シンボル変調器Ａ１２０と通信している。シンボル変調器Ａ１２０は、データシンボル及びダウンリンクパイロットシンボルを受け入れて処理し、シンボルの流れを提供する。１つの態様において、シンボル変調機Ａ１２０は、設定情報を提供するプロセッサＡ１８０と通信している。シンボル変調器Ａ１２０は、送信機ユニット（ＴＭＴＲ）Ａ１３０と通信している。シンボル変換器Ａ１２０は、データシンボル及びダウンリンクパイロットシンボルを多重化し、それらを送信機ユニットＡ１３０に提供する。
【００２３】
送信されるべき各々のシンボルは、データシンボル、ダウンリンクパイロットシンボルまたは０の信号値であることができる。ダウンリンクパイロットシンボルは、各々のシンボル期間中に連続的に送られることができる。１つの態様において、ダウンリンクパイロットシンボルは、周波数分割多重（ＦＤＭ）である。別の態様において、ダウンリンクパイロットシンボルは、直交周波数分割多重（ＯＦＤＭ）である。更に別の態様において、ダウンリンクパイロットシンボルは、符号分割多重（ＣＤＭ）である。１つの態様において、送信機ユニットＡ１３０は、シンボルの流れを受信し、シンボルの流れを１つ以上のアナログ信号に変換する。そして、送信機ユニットＡ１３０は、無線送信に適したアナログダウンリンク信号を生成するために、さらにまたアナログ信号をよい状態にする、例えば、増幅し、フィルターにかけ、及び／または周波数アップコンバートする。アナログダウンリンク信号は、アンテナ１４０によってそのとき送信される。
【００２４】
ダウンリンクレグにおいて、ＵＥ２０１は、アナログダウンリンク信号を受信し、そのアナログダウンリンク信号を受信機ユニット（ＲＣＶＲ）Ｂ２２０に入力するためのアンテナ２１０を含む。１つの態様において、受信機ユニットＢ２２０は、アナログダウンリンク信号を第１の“よい状態にされた”信号の状態にする、例えば、フィルターにかける、増幅する、及び周波数ダウンコンバートする。第１の“よい状態にされた”信号は、そのときサンプリングされる。受信機ユニットＢ２２０は、シンボル復調器Ｂ２３０と通信している。シンボル復調器Ｂ２３０は、受信機ユニットＢ２２０から出力された第１の“よい状態にされた”及び“サンプリングされた”信号（例えば、データシンボル）を復調する。
【００２５】
当業者は、代案がシンボル復調器Ｂ２３０においてサンプリング処理を実現することであるということを理解したであろう。シンボル復調器Ｂ２３０は、プロセッサＢ２４０と通信している。プロセッサＢ２４０は、ダウンリンクパイロットシンボルをシンボル復調器Ｂ２３０から受信し、ダウンリンクパイロットシンボル上でチャネル推定を実行する。１つの態様において、チャネル推定は、現在の伝搬環境を特徴づける処理である。シンボル復調器Ｂ２３０は、ダウンリンクレッグのための周波数応答評価をプロセッサＢ２４０から受信する。シンボル復調器Ｂ２３０は、ダウンリンクパス上でデータシンボル評価を得るためにデータ復調をデータシンボル上で実行する。ダウンリンクパス上のデータシンボル評価は、送信されたデータシンボルの評価である。シンボル復調器Ｂ２３０はまた、ＲＸデータプロセッサＢ２５０と通信している。
【００２６】
ＲＸデータプロセッサＢ２５０波、ダウンリンクパス上でデータシンボル評価をシンボル復調器Ｂ２３０から受信し、例えば、トラフィックデータを回復するためにダウンリンクパス上でデータシンボル評価を復調し（シンボルでマップし）、インタリーブし、及び／または復号する。１つの態様において、シンボル復調器Ｂ２３０及びＲＸデータプロセッサＢ２５０による処理は、それぞれ、シンボル変調器Ａ１２０及びＴＸデータプロセッサＡ１１０による処理に補足的である。
【００２７】
アップリンクレグにおいて、ＵＥ２０１は、ＴＸデータプロセッサＢ２６０を含む。ＴＸデータプロセッサＢ２６０は、データシンボルを出力するためにトラフィックデータを受け入れて処理する。ＴＸデータプロセッサＢ２６０は、シンボル変調器Ｄ２７０と通信している。シンボル変調器Ｄ２７０は、アップリンクパイロットシンボルとともにデータシンボルを受け入れて多重化し、変調を実行し、シンボルの流れを提供する。１つの態様において、シンボル変調器Ｄ２７０は、設定情報を提供するプロセッサＢ２４０と通信している。シンボル変調器Ｄ２７０は、送信機ユニットＢ２８０と通信している。
【００２８】
送信されるべき各々のシンボルは、データシンボル、アップリンクパイロットシンボルまたは０の信号値であることができる。アップリンクパイロットシンボルは、各々のシンボル期間中に連続的に送られることができる。１つの態様において、アップリンクパイロットシンボルは、周波数分割多重（ＦＤＭ）である。別の態様において、アップリンクパイロットシンボルは、直交周波数分割多重（ＯＦＤＭ）である。更に別の態様において、アップリンクパイロットシンボルは、符号分割多重（ＣＤＭ）である。１つの態様において、送信機ユニットＢ２８０は、シンボルの流れを受信し、シンボルの流れを１つ以上のアナログ信号に変換する。そして、送信機ユニットＢ２８０は、無線送信に適したアナログアップリンク信号を生成するために、さらにまたアナログ信号をよい状態にする、例えば、増幅する、フィルターにかける、及び／または周波数アップコンバートする。アナログアップリンク信号は、アンテナ２１０によってそのとき送信される。
【００２９】
ＵＥ２０１からのアナログアップリンク信号は、アンテナ１４０によって受信され、産婦利を得るために受信機ユニットＡ１５０によって処理される。１つの態様において、受信機ユニットＡ１５０は、アナログアップリンク信号を第２の“よい状態にされた”信号の状態にする、例えば、フィルターにかける、増幅する、及び周波数ダウンコンバートする。第２の“よい状態にされた”信号は、そのときサンプリングされる。受信機ユニットＡ１５０は、シンボル復調器Ｃ１６０と通信している。当業者は、代案がシンボル復調器Ｃ１６０においてサンプリング処理を実現することであるということを理解したであろう。シンボル復調器Ｃ１６０は、アップリンクパス上でデータシンボル評価を得るためにデータ復調をデータシンボル上で実行し、アップリンクパイロットシンボル及びデータシンボル評価をアップリンクパス上でＲＸデータプロセッサＡ１７０にそのとき提供する。アップリンクパス上のデータシンボル評価は、送信されたデータシンボルの評価である。ＲＸデータプロセッサＡ１７０は、無線通信デバイス２０１によって送信されたトラフィックデータを回復するためにデータシンボル評価をアップリンクパス上で処理する。シンボル復調器Ｃ１６０はまた、プロセッサＡ１８０と通信している。プロセッサＡ１８０は、アップリンクレグ上で送信する各々のアクティブ端末のためにチャネル推定を実行する。１つの態様において、パイロットサブ帯域セットが組み合わせられることができる場合、多数の端末は、パイロットサブ帯域のそれらのそれぞれの割り当てられたセット上のアップリンクレグ上でパイロットシンボルを同時に送信することができる。
【００３０】
プロセッサＡ１８０及びプロセッサＢ２４０は、それぞれ、アクセスノード１０１（例えば、基地局）及びＵＥ２０１でオペレーションを導く（すなわち、制御する、調整するまたは管理する等）。１つの態様において、どちらか一方のまたは両方のプロセッサＡ１８０及びプロセッサＢ２４０は、プログラムコード及び／またはデータを記憶するための１つ以上のメモリユニット（示されない）と関連づけられている。１つの態様において、どちらか一方のまたは両方のプロセッサＡ１８０またはプロセッサＢ２４０または両方は、それぞれ、アップリンクレグ及びダウンリンクレグのための周波数及びインパルス応答評価を引き出すために計算を実行する。
【００３１】
１つの態様において、無線ネットワーク環境１００は、多元接続システムである。多元接続システム（例えば、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）等）のために、多数の端末は、多数のＵＥ２０１へのアクセスを可能にして、アップリンクレグ上で同時に送信する。１つの態様において、多元接続システムのために、パイロットサブ帯域は、異なる端末間で共有されることができる。チャネル推定技術は、各々の端末のためのパイロットサブ帯域が全体の動作帯域（あるいは帯域端を除いて）に及ぶ場合に使用される。このようなパイロットサブ帯域構造は、各々の端末のための周波数の多様性を得るために望ましい。
【００３２】
１つの例において、無線収束プラットフォームは、ソフトウェアアプリケーション／サービスプラットフォーム、マルチポイント接続性、及びインターネットブラウザに基づくエンジンを備える。１つの態様において、マルチポイント接続性は、例えば、ｃｄｍａ２０００、データ向けに最適化されたエボリューション（ＥＶ−ＤＯ）、高速ダウンリンクパケット接続（ＨＳＤＰＡ）等のような３Ｇまたは４Ｇ無線技術のような常時接続のブロードバンドアクセスまたは低速アクセスによるインターネット接続性を含む。別の態様において、マルチポイント接続性は、無線収束プラットフォーム及び例えば、ブルートゥース（登録商標）、シリアル回線インターネットプロトコル（ＳＬＩＰ）、無線ＵＳＢ（ユニバーサルシリアルバス）、ＷｉＦｉ、無線自動識別（ＲＦＩＤ）等を使用するダム端末または遠隔のディスプレイのような別個の端末の間の知的接続性を含む。
【００３３】
自動車の例は、無線収束プラットフォームのための適切なホスト（すなわち、ユーザプラットフォーム）として議論されているが、それはほんの一例である。当業者は、無線収束プラットフォームが様々なアプリケーション及びサービスのための必要性とともに多くの他のホストに適しているということを理解したであろう。例えば、無線収束プラットフォームのための１つのマーケットセグメントは、自動車、航空機、ボート、列車、トラック、地下鉄等のような、任意の移動する乗物である。他の例のマーケットセグメントは、これらに制限されないが、家、デジタルフォトフレーム、電子ブック（イーブック）、ポータブルテレビ等を含む。当業者は、多くの他のユーザプラットフォームが本開示の範囲または精神に影響を及ぼすことなく無線収束プラットフォームのためのホストとして使用されることができるということを理解したであろう。１つの態様において、無線収束プラットフォームは、ナビゲーション、音楽、ビデオ、スマートフォンサービス、データダウンロード等を提供するために、処理能力、ソフトウェアアプリケーション及びサービス及び拡張可能なユーザインタフェースを備えた一体化されたセントラルデバイスとして役に立つ。
【００３４】
１つの態様において、無線収束プラットフォームは、例えば、ＢＲＥＷモバイルプラットフォーム（ＢＭＰ）、ＢＲＥＷ（binary runtime environment for wireless）、Ｊａｖａ（登録商標）２マイクロエディション（Ｊ２ＭＥ）等、インターネットブラウザ（標準またはカスタマイズのどちらか一方）、及びマルチポイント接続性のためのその能力を拡張するためのプラットフォームインタフェースに基づいてソフトウェアアプリケーション及びサービスプラットフォームを備えることができる。
【００３５】
１つの態様において、コンソール／ディスプレイ端末は、接続性チップ（例えば、３Ｇ、ＷｉＦｉ、ブルートゥース等と互換性のある）及び小さなアプリケーション層を備えた単純な端末、無線収束プラットフォームに伴う１つまたはマルチウェイ通信、及びタッチスクリーンを備えた知的または高機能の音声作動の端末を備えることができる。
【００３６】
１つの態様において、プロトタイプアプリケーション／サービスは、無線収束プラットフォーム上でナビゲータアプリケーション（例えば、ベライゾン（ＶＺＷ）ナビゲータ）を備える。プロトタイプアプリケーション／サービスは、最新版、トラフィック警報等を得るためにインターネットに接続されることができる。ディスプレイ情報は、ブルートゥース、ＷｉＦｉまたは別の適切な無線リンクによってユーザプラットフォーム内臓のディスプレイユニットまたはチャンビー（外部かまたは無線収束プラットフォームの一部）のような小さなコンソールデバイスに無線収束プラットフォームから送られることができる。
【００３７】
図３は、無線収束プラットフォームの一例の配置を例証する。パームコンピュータ、デジタルカメラ、パーソナルデジタルアシスタント（ＰＤＡ）、パーソナルナビゲーションデバイス等のような様々なデバイス（例えば、家庭用電子機器、消費者デバイス等）が図３の左側にある。当業者は、示された例のデバイスが排他的でないということ及び本開示の範囲及び精神が、これらに限られないが、ポータブル音楽デバイス、医療診断デバイスのような診断用デバイス、プリンタ、ゲーム機等のような他のデバイスを包含するということを理解したであろう。
【００３８】
デバイスの各々は、相互接続プロトコルスタック中の伝送制御プロトコル／インターネットプロトコル（ＴＣＰ／ＩＰ）層上に存在するプロトコル及びマークアップ言語（ＰＭＬ）構成要素である薄ソフトウェア層を含む。ＰＭＬは、末端間の接続性を管理し、ユーザアクセスを確保する。様々なデバイスは、ブルートゥース、ＷｉＦｉ、または無線ＬＡＮ等のような、無線接続によって無線収束プラットフォームに接続する。加えて、無線収束プラットフォームは、ＰＭＬサーバに及びインターネット上に接続するために、例えば３Ｇ標準に基づいて、付加的な無線インタフェースを使用する。１つの例において、無線収束プラットフォームは、ｃｄｍａ、ＵＭＴＳ、無線マイクロ波アクセス（ＷｉＭａｘ）、高速ダウンリンクパケット接続（ＨＳＤＰＡ）、ロングタームエボリューション（ＬＴＥ）等に制限されないが含む、様々な無線標準を使用するインターネットに接続する。図３中に例証されるように、無線収束プラットフォームは、ＰＭＬコンピュータ同士の（Ｍ２Ｍ）マネージャであり、その例において、携帯電話として描かれている。無線収束プラットフォームの例の配置は、ポータブルブロードバンド接続性を含み、アプリケーション＆サービス接続性を許可し、ユーザプラットフォームに対するアクセスを確保する。
【００３９】
１つの例において、デジタルカメラは、デバイスである。そして、ユーザは、ＷｉＦｉよりはるかに大きな適用範囲を備えたリアルタイムでサイトを共有するウェブにビデオまたは画像をアップロードする。１つの態様において、デジタルカメラまたはそのデジタル記憶カードは、ＰＭＬを使用する無線収束プラットフォームと通信することが可能になる。１つの例において、位置に基づくサービスまたは写真タグは、ＰＭＬに埋め込まれる。デジタルカメラのコンテンツは、無線収束プラットフォームを経て別のユーザに通信されることができる。
【００４０】
１つの例において、ポータブルゲームコンソールは、デバイスである。そして、ユーザは、進歩したグラフィックス及びプロセッサを備えた最新のゲームコンソールと相互に作用する。１つの例において、ＰＭＬは、ユーザの近くの他のプレーヤーを見つけ出す位置に基づくサービスまたは低遅延の２地点間のゲームのために使用される。そして、ゲームアプリケーション上のそのユーザ及び他のプレーヤーの間の相互作用は、無線収束プラットフォームを経て可能になる。
【００４１】
１つの例において、イーブックは、デバイスである。そして、ユーザは、デバイス中の無線構成要素の除去とともにより多くの機能性を可能にするために、新聞、雑誌、最新のベストセラー小説等の情報ソース及び本をダウンロードすることができる。
【００４２】
１つの例において、ユーザが車及びナビゲーション通信のために無線収束プラットフォームを使用する場合、自動車コンピュータはデバイスである。加えて、他のユーザへのまたはデータダウンロードのための通信は加えられる。
【００４３】
１つの例において、安全なアクセスは、デバイスから得られる。この場合において、ユーザは、インターネット上でプライベートサービスに接続するために強い、多因子の認証を得ることができる。
【００４４】
図４は、無線収束プラットフォーム中のネットワーク接続性の一例を例証する。無線ＬＡＮまたはブルートゥース接続は、デバイス及び無線収束プラットフォーム、例えば、携帯電話の間のローカルエリアアクセスパスとして使用される。無線収束プラットフォームは、アクセスポイントまたはルータとして構成され、無線ブロードバンド接続を経てデバイス及びインターネットの間でデータを輸送する。加えて、プロトコルスタックは、無線収束プラットフォームを備えたデジタルデバイスのシームレスな接続性を可能にするためにユニバーサルプラグアンドプレイ（ｕＰｎＰ）接続性プロトコルを使用する。ＰＭＬ層は、ユニバーサルプラグアンドプレイ（ｕＰｎＰ）層のトップ上に存する。そして、アプリケーション層は、ＰＭＬ層のトップ上に存する。
【００４５】
図５は、一例のプロトコル及びマークアップ言語（ＰＭＬ）プロトコルスタックを例証する。最も低いネットワークプロトコル層で、ｕＰｎＰ層、ＴＣＰ／ＩＰは、拡張マークアップ言語（ＸＭＬ）によって実現されるデバイス発見とともに輸送／ネットワーク層プロトコルとして実現される。加えて、シンプルオブジェクトアクセスプロトコル（ＳＯＡＰ）及びシンプルサービスディスカバリープロトコル（ＳＳＤＰ）のような他のプロトコルが使用されるかもしれない。次のプロトコル層、ＰＭＬ層は、各々のデバイス、例えば、カメラ、カムコーダー、ＰＮＤ、イーブックリーダー等のためにｕＰｎＰ層を拡張するために使用される。加えて、ビリングサポートが含まれるかもしれない。最後に、最上位層で、ＰＭＬ安全層、シナリオレベル認証が提供されることができる。１つの例において、安全なトランザクションが実行される前に、デバイスは、無線接続を制御している無線収束プラットフォームからコード／キー／証明書を探索する。１つの例において、このキーは、ＲＳＡの安全なキーまたは同様の安全なキーである。別の例において、キーは、安全な仮想プライベートネットワーク（ＶＰＮ）を生成するために確保された識別コードである。
【００４６】
１つの態様において、認証手順は、ユーザアカウントの概念を含む。例えば、ユーザアカウントは、主キーまたはより複雑なキー、例えば、続いてｎ（０、１．．．ｎ）の二次キーがある＜ユーザ名またはログイン＞＜パスワード＞としてログイン−パスワードと同様に単純であることができる。ユーザアカウントは、各々のデバイスの識別子（ｉｄ）（例えば、媒体アクセス制御（ＭＡＣ）アドレス、インターネットプロトコル（ＩＰ）アドレス、電子シリアル番号（ＥＳＮ）等）と関連づけられる。１つの態様において、認証情報は、ユーザアカウント＋デバイスＩｄ＋二次キー、として定義される。認証情報は、インターネットゲートウェイと関連してプロトコル及びマークアップ言語（ＰＭＬ）構成要素によって生成されて管理され、ＰＭＬデバイス認証情報を管理するための主キーである。例は、ａ）＜ユーザ名またはログイン＞＜パスワード＞（例えば、“ＪａｎｅＤｏｅ”“ａｂｃ１２３”）の次のフォーマットを備えた単純なユーザアカウント、；ｂ）＜ユーザ名またはログイン＞＜パスワード＞＜ＥＳＮ＞（例えば、“ＪａｎｅＤｏｅ”“ａｂｃ１２３”“０ｘ１２３４５６７８”）の次のフォーマットを備えた単純なデバイス認証情報；ｃ）＜ユーザ名またはログイン＞＜パスワード＞＜ＥＳＮ＞＜ＭＡＣ＞＜ユーザストリング＞（例えば、“ＪａｎｅＤｏｅ”“ａｂｃ１２３”“０ｘ１２３４５６７８”“０ｘｆｆｆｆｆｆｆｆ”＜“母親の旧姓”＞の次のフォーマットを備えた複雑なデバイス認証情報を含む。
【００４７】
１つの態様において、認証手順は、メインデバイス（マスタ）とペアの全てのデバイス（スレーブ）の堅い認証情報管理を含む。１つの例において、ユーザの主モバイルデバイス（例えば、無線収束プラットフォーム、電話）は、“マスタ”である。デジタルカメラ、フォトフレーム等のような全ての他のデバイスは、“スレーブ”である。１つの例において、全てのスレーブデバイスの信用があるリストは、マスタデバイス、マスタデバイスが属するネットワークまたはインターネットによって維持される。別の例において信用があるリストは、マスタデバイス、ネットワークまたはインターネットの任意の組み合わせによって維持される。
【００４８】
スレーブデバイスがユーザによって取得されるまたは購入される等のとき、それは、近距離通信（例えば、ブルートゥース、ＷｉＦｉ等）によってマスタデバイスと“ペア”であり、そのデバイス上及びインターネット上に記憶される。１つの例において、認証情報のリストは、信用があるリストである。
【００４９】
遠距離通信（例えば、３Ｇ、４Ｇ等のようなワイドエリアネットワーク（ＷＡＮ））上の各々のデジタルデバイスの間の各々のモバイルトランザクションのために、認証情報は、トランザクションが続行することができる前に認証される。し尿があるリスト中に無いデバイスがトランザクションをしようとする場合、認証は失敗し、そのトランザクションは、続行することを可能にしないであろう。１つの例において、認証情報管理は、マスタデバイス上でされ、キャリアのビリングシステムまたはデータプランと統合されることができる。例えば、マスタデバイスが最初にＰＭＬ認証情報管理サーバ（独立したまたは管理されたキャリア）に接続したときは、トランザクションのための認証情報は、認証される。１つの態様において、認証が成功した場合、全ての認証情報は、将来のスレーブデバイスの認証がサーバへのネットワークアクセスなしでマスタデバイスによって管理されるようにマスタデバイスにダウンロードされる。別のアプローチは、マスタデバイス及びスレーブデバイスの間の全てのトランザクションにおいて、認証情報管理がサーバへのネットワークアクセスを必要とするということである。代替的に、認証情報管理がデータプランにつきスレーブデバイスの固定番号に制限されることができる、のような他の方法があり得る。例えば、その制限は、２つのカメラ及び１つのデジタルフォトフレーム等であることができる。１つの態様において、認証情報管理は、次に述べるもの：マスタデバイス、マスタデバイスが属するネットワークまたはインターネットのうちの１つによって実行される。当業者は、ここで与えられた様々な例が制限していないまたは排他的でないということ、及び他の例及びバリエーションが本開示の精神または範囲に影響を与えることなく使用されることができるということを理解したであろう。
【００５０】
無線収束プラットフォームは、ｕＰｎＰ層の本来備わった能力上で拡大する。現在のｕＰｎＰの実現は、使用事例を実行するために必要な機能性の全てではないがいくつかを提供する。１つの例において、次に続く機能性がＰＭＬ層において提供されることができる：
・アドレシング−無線収束プラットフォームは、無線アクセスポイントとして機能を果たし、ローカルＩＰアドレスをサービスのために要求する全てのデバイスに提供する。
【００５１】
・サービスの発見−いったんデバイスがＩＰアドレスを得ると、それは、ｕＰｎＰ発見プロトコルも打ってｕＰｎＰ制御ポイントの機能を果たす無線収束プラットフォームにそのサービスを広告する。
【００５２】
・記述−無線収束プラットフォームは、ｕＰｎＰ層によって提供される拡張マークアップ言語（ＸＭＬ）フレームワークに対するＰＭＬ拡張を通って各々のデバイスの付加的な情報及び能力の詳細な記述を受け取る。１つの態様において、無線収束プラットフォームは、デバイスから詳細な記述のための要求をする。
【００５３】
・イベント通知−無線収束プラットフォームは、各々のデバイスからの特定のイベントに署名し、これらのイベントに基づいて行動をとる。例えば、カメラにおいて写真が撮られるとき、無線収束プラットフォームは、新しい写真を通知され、カメラから写真を引く及びジオタギング及び音声タギングとともにインターネットサイトにそれらをアップロードするような適切な行動をとるであろう。
【００５４】
別の態様において、段になった価格構成は、無線収束プラットフォームのサービスのために実現される。１つの例において、段になった価格構成は、各々のデバイスに対するサービス使用の統計を加えられたＰＭＬに基づいている。この使用は、これらのサービスのための段になった価格設定を促進するために無線収束プラットフォームによってビリングサーバに伝えられる。別の態様において、様々な価格設定は実現され、ここで、様々な価格設定は、次に続く要因、例えば、地理的エリア、ユーザ層、アプリケーションのタイプ及び人気、時間帯等の１つ以上に基づいている。
【００５５】
図６は、プロトコル及びマークアップ言語（ＰＭＬ）セキュリティシグナル伝達の一例を例証する。図６は、第１のカラム中のデバイス、第２のカラム中の無線収束プラットフォーム（例えば、携帯電話）、第３のカラム中のオペレータ、第４のカラム中の認証サーバ、及び第５のカラム中のアプリケーションサービス間での相互作用を示す。無線収束プラットフォームは、各々のデバイスのために認証及び安全なチャネルを中継する。図６中の概念図は、認証サーバを示す。認証サーバは、サービスのために認証及びビリングサポートを提供する。デバイスの任意の不正使用を防止するために、加入者は、それがサーバとともに使用したいデバイスを登録する。電子シリアル番号（ＥＳＮ）または媒体アクセス制御（ＭＡＣ）識別子のようなユニークな識別子は、サーバ中に供給されるであろう。いったんデバイスが認証されると、サーバはデバイスに安全なトークンを返す。それは、デバイスからインターネットアプリケーションサーバに安全なチャネルを生成するために使用される。１つの態様において、段になった価格設定は、いくつのデバイスが使用されているか及び各々のデバイスがモバイル加入毎にどれくらい多く使用されているかに基づいて促進される。
【００５６】
図７は、一例の無線収束プラットフォーム７００を例証するブロック図である。１つの態様において、無線収束プラットフォームは、サーバと通信する手段７１０、例えば、インターネットに対するゲートウェイを備える。１つの例において、サーバと通信する手段７１０は、インタフェース回路（別名は、第１のインタフェース回路）の一部であるアンテナ及びトランシーバを含む。無線収束プラットフォームはまた、デバイスと通信する手段７３０を備える。ここで、その手段は、無線通信のためのインタフェース回路（別名は、第２のインタフェース回路）またはあるいはユニバーサルシリアルバス（ＵＳＢ）ポートのようないくつかの有線通信ポートを含むことができる。１つの態様において、手段７３０はまた、通信をデバイスから受信するアンテナ及びトランシーバを備える。１つの例において、手段７３０は、同じアンテナ及び同じトランシーバを手段７１０と共有する。
【００５７】
無線収束プラットフォームはまた、リソース及びインタフェース７２０を備える。１つの例において、コンソール／ディスプレイ端末は、無線収束のインタフェースのうちの１つである。別の例において、プラットフォームリソースは、メモリユニット７５０中に記憶されたソフトウェアアプリケーション及びＢＲＥＷモバイルプラットフォーム（ＢＭＰ）、ＢＲＥＷ（binary runtime environment for wireless）、Ｊａｖａ２マイクロエディション（Ｊ２ＭＥ）、インターネットブラウザ等のようなサービスを含む。加えて、無線収束プラットフォームはまた、その機能性を実行する処理ユニット７４０及び情報の記憶のためのメモリユニット７５０を備える。図７中に例証されるように、無線収束の様々な構成要素は、互いにつながれる。
【００５８】
図８は、無線収束プラットフォームを使用するポータブルブロードバンドサービスを提供する一例のフロー図である。ブロック８１０において、無線収束プラットフォーム及びインターネットゲートウェイの間の第１の接続性を可能にする。１つの例において、項目７１０中のインタフェース回路は、第１の接続性を可能にするために使用される。ブロック８１５において、第１の接続性が可能にされているかどうかを決定する。ｙｅｓの場合、ブロック８２０に進む。ｎｏの場合、第１の接続性を再び可能にするためにブロック８１０に戻って続行する。ブロック８１５中のステップは、オプションのステップであり、ブロック８２０中のステップに先行することができる。
【００５９】
ブロック８２０において、無線収束プラットフォーム及び少なくとも１つのデバイスの間の第２の接続性を可能にする。１つの例において、項目７３０は、第２の接続性を可能にするために使用される。ブロック８２５において、第２の接続性が可能にされているかどうかを決定する。ｙｅｓの場合、ブロック８３０に進む。ｎｏの場合、第２の接続性を再び可能にするためにブロック８２０に戻って続行する。ブロック８２５中のステップは、オプションのステップであり、ブロック８３０中のステップに先行することができる。ブロック８１０はブロック８２０に先行するためにここで例証されているが、（ブロック８２０がブロック８１０に先行することによる）順番の交換は、受諾可能であり、本開示の範囲または精神に影響を与えないであろうということを当業者は理解したであろう。
【００６０】
ブロック８３０において、アプリケーションサービスのために少なくとも１つのデバイスから要求を受信する。ここで、アプリケーションサービスは、インターネットゲートウェイを通って得られるべきである。１つの例において、アプリケーションサービスは、少なくとも１つのデバイスにおいて機能性と関連づけられる。１つの例において、その要求は、無線収束プラットフォームによって受信される。そして、その要求は、第２の接続性によって無線収束プラットフォームに通信される。
【００６１】
ブロック８３０の後で、ブロック８４０において、第１の接続性を使用するインターネットゲートウェイを通ってアプリケーションサービスを得る。１つの例において、ブロック８４０中のステップは、図７中に示されるように処理ユニット７４０によって実行される。１つの態様において、無線収束プラットフォームは、アプリケーションサービスを得る。ブロック８４０の後で、ブロック８５０において、第２の接続性によってアプリケーションサービスを少なくとも１つのデバイスに中継する。１つの態様において、ブロック８３０〜８５０のステップは、異なるデバイスからのアプリケーションサービスのための１つ以上の要求を受け入れるために１回以上繰り返される。１つの態様において、異なるデバイスは、同じユーザプラットフォーム、例えば、乗物、ビルディングまたは家等と関連づけられる。
【００６２】
当業者は、図８中の例のフロー図中に開示されたステップが本開示の範囲及び精神から逸脱することなくそれらの順序において交換されることができるということを理解したであろう。また、当業者は、フロー図中に例証されたステップが排他的でなく、他のステップが含まれるかもしれないし、その例のフロー図中のステップの１つ以上が本開示の範囲及び精神に影響を与えることなく削除されるかもしれないということを理解したであろう。
【００６３】
当業者は、ここで開示された例に関して記述された様々な例証となる構成要素、論理ブロック、モジュール、及び／またはアルゴリズムステップが電子ハードウェア、ファームウェア、コンピュータソフトウェア、またはそれらの組み合わせとして実現されることができるということを更に認識したであろう。ハードウェア、ファームウェア及びソフトウェアのこの互換性を明瞭に例証するために、様々な例証となる構成要素、ブロック、モジュール、及び／またはアルゴリズムステップは、それらの機能性の点で一般に上で記述されている。このような機能性がハードウェア、ファームウェアまたはソフトウェアとして実現されるかどうかは、特別のアプリケーション及び総合体系上に課された設計制約に依存する。当業者は、各々の特別のアプリケーションのための変化する方法において記述された機能性を実現することができるが、このような実現の決定は、本開示の範囲または精神からの逸脱の原因となるとして解釈されるべきではない。
【００６４】
例えば、ハードウェア実現のために処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、その点で記述された機能を実行するために設計された他の電子ユニットまたはそれらの組み合わせ内で実現されることができる。ソフトウェアで、その実現は、その点で記述された機能を実行する通しのモジュール（例えば、手順、機能等）であることができる。ソフトウェアコードは、メモリユニット中に記憶され、プロセッサユニットによって実行される。加えて、ここで記述された様々な例証となるフロー図、論理ブロック、モジュール及び／またはアルゴリズムステップはまた、その技術において知られている任意のコンピュータ読み取り可能媒体上で運搬されるコンピュータ読み取り可能命令として符号化されるかもしれないし、その技術において知られている任意のコンピュータプログラム製品において実現されるかもしれない。
【００６５】
１つ以上の例において、ここで記述されたステップまたは機能は、ハードウェア、ソフトウェア、ファームウェア、またはそれらの任意の組み合わせにおいて実現されることができる。ソフトウェアにおいて実現される場合、機能は、コンピュータ読み取り可能媒体上で１つ以上の命令またはコードとして記憶または送信されることができる。コンピュータ読み取り可能媒体は、ある場所から別の場所へのコンピュータプログラムの転送を促進する任意の媒体を含む通信媒体及びコンピュータ記憶媒体の両方を含む。記憶媒体は、コンピュータによってアクセスされることができる任意の利用可能な媒体であることができる。制限でなく、例として、このようなコンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または命令またはデータ構造の形式において望ましいプログラムコードを運搬または記憶するために使用されることができ、コンピュータによってアクセスされることができる任意の他の媒体を備えることができる。また、任意の接続は、コンピュータ読み取り可能媒体と適切に称される。例えば、ソフトウェアがウェブサイト、サーバ、または同軸ケーブル、光ファイバケーブル、ツイストペア、デジタル加入者線（ＤＳＬ）、または赤外線、無線、及びマイクロ波のような無線技術を使用する他の遠隔ソースから送信される場合、同軸ケーブル、光ファイバケーブル、ツイストペア、ＤＳＬ、または赤外線、無線、及びマイクロ波のような無線技術は、媒体の定義内に含まれる。ディスク（disk）及びディスク（disc）は、ここで使用されるように、コンパクトディスク（disc）（ＣＤ）、レーザディスク（disc）、光ディスク（disc）、デジタルバーサタイルディスク（disc）（ＤＶＤ）、フロッピー（登録商標）ディスク（disk）及びブルーレイディスク（disc）を含み、ディスク（disk）は通常データを磁気的に再生するのに対し、ディスク（disc）はレーザによってデータを光的に再生する。上の組み合わせはまた、コンピュータ読み取り可能媒体の範囲内に含まれるべきである。
【００６６】
１つの例において、ここで記述された例証となる構成要素、フロー図、論理ブロック、モジュール及び／またはアルゴリズムステップは、１つ以上のプロセッサによって実現または実行される。１つの態様において、プロセッサは、ここで記述された様々なフロー図、論理ブロック及び／またはモジュールを実現または実行するプロセッサによって実行されるために、データ、メタデータ、プログラム命令等を記憶するメモリとつながれている。図９は、無線収束プラットフォームを使用するポータブルブロードバンドサービスを提供する処理を実行するためにメモリと通信するプロセッサ９１０を備えるデバイス９００の一例を例証する。１つの例において、デバイス９００は、図８中に例証されるアルゴリズムを実現するために使用される。１つの態様において、メモリ９２０は、プロセッサ９１０内に設けられている。別の態様において、メモリ９２０は、プロセッサ９１０の外部にある。１つの態様において、プロセッサは、ここで記述された様々なフロー図、論理ブロック及び／またはモジュールを実現または実行するための電気回路構成を含む。
【００６７】
図１０は、無線収束プラットフォームを使用するポータブルブロードバンドサービスを提供するのに適したデバイス１０００の一例を例証する。１つの態様において、デバイス１０００は、ブロック１０１０、１０１５、１０２０、１０２５、１０３０、１０４０及び１０５０においてここで記述されたように無線収束プラットフォームを使用するポータブルブロードバンドサービスを提供する異なる態様を提供するように構成された１つ以上のモジュールを備える少なくとも１つのプロセッサによって実現される。例えば、おのおののモジュールは、ハードウェア、ファームウェア、ソフトウェア、またはそれらの任意の組み合わせを備える。１つの態様において、デバイス１０００はまた、少なくとも１つのプロセッサと通信する少なくとも１つのメモリによって実現される。
【００６８】
開示された態様の前の記述は、本開示を製作または使用することを任意の当業者に可能にさせるために提供される。これらの態様への様々な変更は、当業者に容易に明白であろう。そして、ここで定義される包括的な原理は、開示の精神または範囲から逸脱することなく他の態様に適用されることができる。
以下に、本出願時の特許請求の範囲に記載された発明を付記する。
〔１〕無線収束プラットフォーム及びインターネットゲートウェイの間の第１の接続性を可能にすることと、
前記無線収束プラットフォーム及び少なくとも１つのデバイスの間の第２の接続性を可能にすることと、
前記第１の接続性を使用する前記インターネットゲートウェイを介してアプリケーションサービスを得るために前記無線収束プラットフォームを使用することと、
前記第２の接続性を介して前記アプリケーションサービスを前記少なくとも１つのデバイスへ中継することと
を備える、ポータブルブロードバンドサービスを提供する方法。
〔２〕異なるアプリケーションサービスを得ることと、前記異なるアプリケーションサービスを異なるデバイスへ中継することとを更に備え、前記少なくとも１つのデバイス及び前記異なるデバイスは、両方ともユーザプラットフォームと関連づけられている、前記〔１〕に記載の方法。
〔３〕前記アプリケーションサービスのために前記少なくとも１つのデバイスから要求を受信することを更に備える、前記〔１〕に記載の方法。
〔４〕前記第１の接続性は、第３世代（３Ｇ）の無線標準かまたは第４世代（４Ｇ）の無線標準を使用する、前記〔１〕に記載の方法。
〔５〕少なくとも１つのデバイスは、前記無線収束プラットフォームとともに前記第２の接続性を管理するためのプロトコル及びマークアップ言語（ＰＭＬ）構成要素である薄ソフトウェア層を含む、前記〔１〕に記載の方法。
〔６〕前記薄ソフトウェア層は、相互接続プロトコルスタック中のユニバーサルプレイアンドプレイ（ｕＰｎＰ）層上に存在する、前記〔５〕に記載の方法。
〔７〕前記薄ソフトウェア層は、相互接続プロトコルスタック中のＰＭＬ層に存する、前記〔５〕に記載の方法。
〔８〕前記少なくとも１つのデバイスのために認証及び安全なチャネルを中継することを更に備える、前記〔１〕に記載の方法。
〔９〕前記認証は、次に述べるもの：電子シリアル番号（ＥＳＮ）または媒体アクセス制御（ＭＡＣ）識別子のうちの１つに基づいている、前記〔８〕に記載の方法。
〔１０〕前記安全なチャネルは、ＲＳＡ（Rivest Shamir Adleman）の安全なキーに基づいている、前記〔８〕に記載の方法。
〔１１〕前記認証は、少なくとも１つのスレーブデバイスとペアのマスタデバイスの認証情報管理を含む、前記〔８〕に記載の方法。
〔１２〕ポータブルブロードバンドサービスを提供する無線収束プラットフォームであって、
前記無線収束プラットフォーム及びインターネットゲートウェイの間の第１の接続性を可能にする第１のインタフェース回路と、
前記無線収束プラットフォーム及び少なくとも１つのデバイスの間の第２の接続性を可能にする第２のインタフェース回路と、
前記第１の接続性を使用する前記インターネットゲートウェイを介してアプリケーションサービスを得て、前記第２の接続性を介して前記アプリケーションサービスを前記少なくとも１つのデバイスへ中継する処理ユニットと
を備える、無線収束プラットフォーム。
〔１３〕前記処理ユニットは、異なるアプリケーションサービスを得て、前記異なるアプリケーションサービスを異なるデバイスへ中継し、前記少なくとも１つのデバイス及び前記異なるデバイスは、両方ともユーザプラットフォームと関連づけられている、前記〔１２〕に記載の無線収束プラットフォーム。
〔１４〕前記少なくとも１つのデバイスは、前記無線収束プラットフォームとともに前記第２の接続性を管理するためのプロトコル及びマークアップ言語（ＰＭＬ）構成要素である薄ソフトウェア層を含む、前記〔１２〕に記載の無線収束プラットフォーム。
〔１５〕前記薄ソフトウェア層は、相互接続プロトコルスタック中のユニバーサルプレイアンドプレイ（ｕＰｎＰ）層上に存在する、前記〔１４〕に記載の無線収束プラットフォーム。
〔１６〕前記第２のインタフェース回路は、認証を中継し、安全なチャネルを前記少なくとも１つのデバイスに提供する、前記〔１２〕に記載の無線収束プラットフォーム。
〔１７〕前記認証は、少なくとも１つのスレーブデバイスとペアのマスタデバイスの認証情報管理を含む、前記〔１６〕に記載の無線収束プラットフォーム。
〔１８〕ポータブルブロードバンドサービスを提供する装置であって、
前記装置及びインターネットゲートウェイの間の第１の接続性を可能にする手段と、
前記装置及び少なくとも１つのデバイスの間の第２の接続性を可能にする手段と、
前記第１の接続性を使用する前記インターネットゲートウェイを介してアプリケーションサービスを得る手段と、
前記第２の接続性を介して前記アプリケーションサービスを前記少なくとも１つのデバイスへ中継する手段と
を備える、装置。
〔１９〕異なるアプリケーションサービスを得て、前記異なるアプリケーションサービスを異なるデバイスへ中継する手段を更に備え、前記少なくとも１つのデバイス及び前記異なるデバイスは、両方ともユーザプラットフォームと関連づけられている、前記〔１８〕に記載の装置。
〔２０〕前記少なくとも１つのデバイスは、前記第２の接続性を管理するためのプロトコル及びマークアップ言語（ＰＭＬ）構成要素である薄ソフトウェア層を含む、前記〔１８〕に記載の装置。
〔２１〕前記薄ソフトウェア層は、相互接続プロトコルスタック中のユニバーサルプレイアンドプレイ（ｕＰｎＰ）層上に存在する、前記〔２０〕に記載の装置。
〔２２〕前記薄ソフトウェア層は、相互接続プロトコルスタック中のＰＭＬ層に存する、前記〔２０〕に記載の装置。
〔２３〕前記少なくとも１つのデバイスのために認証及び安全なチャネルを中継する手段を更に備える、前記〔１８〕に記載の装置。
〔２４〕前記認証は、次に述べるもの：電子シリアル番号（ＥＳＮ）または媒体アクセス制御（ＭＡＣ）識別子のうちの１つに基づいている、前記〔２３〕に記載の装置。
〔２５〕前記安全なチャネルは、ＲＳＡ（Rivest Shamir Adleman）の安全なキーに基づいている、前記〔２３〕に記載の装置。
〔２６〕前記認証は、少なくとも１つのスレーブデバイスとペアのマスタデバイスの認証情報管理を含む、前記〔２３〕に記載の装置。
〔２７〕前記処理ユニットは、異なるアプリケーションサービスを得て、前記異なるアプリケーションサービスを異なるデバイスへ中継し、前記少なくとも１つのデバイス及び前記異なるデバイスは、両方ともユーザプラットフォームと関連づけられている、前記〔２６〕に記載の無線収束プラットフォーム。
〔２８〕前記少なくとも１つのデバイスは、前記無線収束プラットフォームとともに前記第２の接続性を管理するためのプロトコル及びマークアップ言語（ＰＭＬ）構成要素である薄ソフトウェア層を含む、前記〔２６〕に記載の無線収束プラットフォーム。
〔２９〕前記薄ソフトウェア層は、相互接続プロトコルスタック中のユニバーサルプレイアンドプレイ（ｕＰｎＰ）層上に存在する、前記〔２８〕に記載の無線収束プラットフォーム。
〔３０〕前記第２のインタフェース回路は、認証を中継し、安全なチャネルを前記少なくとも１つのデバイスに提供する、前記〔２６〕に記載の無線収束プラットフォーム。
〔３１〕前記認証は、少なくとも１つのスレーブデバイスとペアのマスタデバイスの認証情報管理を含む、前記〔３０〕に記載の無線収束プラットフォーム。
〔３２〕ポータブルブロードバンドサービスを提供する装置であって、
前記装置及びインターネットゲートウェイの間の第１の接続性を可能にする手段と、
前記装置及び少なくとも１つのデバイスの間の第２の接続性を可能にする手段と、
前記第１の接続性を使用する前記インターネットゲートウェイを介してアプリケーションサービスを得る手段と、
前記第２の接続性を介して前記アプリケーションサービスを前記少なくとも１つのデバイスへ中継する手段と
を備える、装置。
〔３３〕異なるアプリケーションサービスを得て、前記異なるアプリケーションサービスを異なるデバイスへ中継する手段を更に備え、前記少なくとも１つのデバイス及び前記異なるデバイスは、両方ともユーザプラットフォームと関連づけられている、前記〔３２〕に記載の装置。
〔３４〕前記少なくとも１つのデバイスは、前記第２の接続性を管理するためのプロトコル及びマークアップ言語（ＰＭＬ）構成要素である薄ソフトウェア層を含む、前記〔３２〕に記載の装置。
〔３５〕前記薄ソフトウェア層は、相互接続プロトコルスタック中のユニバーサルプレイアンドプレイ（ｕＰｎＰ）層上に存在する、前記〔３４〕に記載の装置。
〔３６〕前記薄ソフトウェア層は、相互接続プロトコルスタック中のＰＭＬ層に存する、前記〔３４〕に記載の装置。
〔３７〕前記少なくとも１つのデバイスのために認証及び安全なチャネル中継する手段を更に備える、前記〔３２〕に記載の装置。
〔３８〕前記認証は、次に述べるもの：電子シリアル番号（ＥＳＮ）または媒体アクセス制御（ＭＡＣ）識別子のうちの１つに基づいている、前記〔３７〕に記載の装置。
〔３９〕前記安全なチャネルは、ＲＳＡ（Rivest Shamir Adleman）の安全なキーに基づいている、前記〔３７〕に記載の装置。
〔４０〕前記認証は、少なくとも１つのスレーブデバイスとペアのマスタデバイスの認証情報管理を含む、前記〔３７〕に記載の装置。
〔４１〕コンピュータプログラムを記憶するコンピュータ読み取り可能媒体であって、前記コンピュータプログラムの実行は、
無線収束プラットフォーム及びインターネットゲートウェイの間の第１の接続性を可能にすることと、
前記無線収束プラットフォーム及び少なくとも１つのデバイスの間の第２の接続性を可能にすることと、
前記第１の接続性を使用する前記インターネットゲートウェイを介してアプリケーションサービスを得ることと、
前記第２の接続性を介して前記アプリケーションサービスを前記少なくとも１つのデバイスへ中継することと
のためである、コンピュータ読み取り可能媒体。
〔４２〕前記コンピュータの実行はまた、異なるアプリケーションサービスを得ること及び前記異なるアプリケーションサービスを異なるデバイスへ中継することのためであり、前記少なくとも１つのデバイス及び前記異なるデバイスは、両方ともユーザプラットフォームと関連づけられている、前記〔４１〕に記載のコンピュータ読み取り可能媒体。
〔４３〕前記コンピュータプログラムの実行はまた、前記少なくとも１つのデバイスのために認証及び安全なチャネルを中継することのためである、前記〔４１〕に記載のコンピュータ読み取り可能媒体。
【図１】
0005502876.tif 000002
【図２】
0005502876.tif 000003
【図３】
0005502876.tif 000004
【図４】
0005502876.tif 000005
【図５】
0005502876.tif 000006
【図６】
0005502876.tif 000007
【図７】
0005502876.tif 000008
【図８】
0005502876.tif 000009
【図９】
0005502876.tif 000010
【図１０】
0005502876.tif 000011